(57)【要約】【課題】良好な読取データを得ることが可能な画像読取装置を提供する。【解決手段】シートスルータイプのＡＤＦと、供給された原稿をコンタクトガラス４ｂを通して固定して読み取る読取部３と、ＡＤＦから原稿をコンタクトガラス４ｂ上に案内する案内部１５と、読取った原稿を排出するすくい上げ部材９とを備え、コンタクトガラス４ｂ上面を開閉自在に被うシャッタ部Ｓを設け、シャッタ部Ｓは、コンタクトガラス４ｂ上面を被うシート状のシャッタ板（シャッタ部材）１１と、シャッタ板１１の一端を取り付ける支持部１０と、支持部１０を作動させるモータ（駆動部）２０とを備え、原稿の読み取りを行うとき、モータ２０で支持部１０を回動（作動）させてシャッタ板１１をコンタクトガラス４ｂ上面から退避させて開状態とし、原稿の読み取りを行わないとき、モータ２０で支持部１０を回動させてシャッタ板１１でコンタクトガラス４ｂ上面を被って閉状態とするように制御する制御手段を備える。【選択図】      図３
2005005957.tif 000002
【特許請求の範囲】
【請求項１】
シートスルータイプの自動原稿給紙装置（以下、「ＡＤＦ」）と、供給された原稿をコンタクトガラスを通して固定して読み取る読取部と、前記ＡＤＦから前記コンタクトガラス上に前記原稿を案内する案内部と、読取った前記原稿を排出するすくい上げ部材とを備えた画像読取装置において、
前記コンタクトガラス上面を開閉自在に被うシャッタ部を設け、
該シャッタ部は、前記コンタクトガラス上面を被うシート状のシャッタ部材と、該シャッタ部材の一端を取り付ける支持部と、該支持部を作動させる駆動部とを備え、
前記原稿の読み取りを行うとき、前記駆動部で前記支持部を作動させて前記シャッタ部材を前記コンタクトガラス上面から退避させて開状態とし、
前記原稿の読み取りを終了したとき、前記駆動部で前記支持部を作動させて前記シャッタ部材で前記コンタクトガラス上面を被って閉状態とするように制御する制御手段を備えることを特徴とする画像読取装置。
【請求項２】
前記シャッタ部材が柔軟性を有し、前記閉状態とするとき、前記シャッタ部材の先端のエッジ部が前記コンタクトガラス上を副走査方向に摺動することを特徴とする請求項１に記載の画像読取装置。
【請求項３】
前記シャッタ部材の先端に拭き取り部を備えることを特徴とする請求項２に記載の画像読取装置。
【請求項４】
前記すくい上げ部材に前記コンタクトガラス上のゴミを収容するゴミ収容部を設けることを特徴とする請求項１ないし３のいずれかに記載の画像読取装置。
【請求項５】
前記シャッタ部は前記案内部内に備えられていることを特徴とする請求項１ないし４のいずれかに記載の画像読取装置。
【請求項６】
前記開状態のとき、前記シャッタ部材が前記案内部内に収容されることを特徴とする請求項１ないし５のいずれか１に記載の画像読取装置。
【請求項７】
前記制御手段が前記開状態と前記閉状態とを原稿ごとに行うように制御することを特徴とする請求項１ないし６のいずれかに記載の画像読取装置。
【発明の詳細な説明】
【０００１】
【発明の属する技術分野】
本発明はスキャナ、複写機、ファクシミリ等の画像読取装置でシートスルータイプのＡＤＦを装着したものすなわち、コンタクトガラスに沿って一定速度で搬送される原稿を露光走査し、像光を得ることのできる画像読取装置に関する。
【０００２】
【従来の技術】
従来の画像読取装置においては、原稿を固定して露光走査する原稿固定タイプ（スキャン方式）と、原稿を所定の速度で移動し、これを露光するシートスルータイプがある。また、一般的な画像読取装置で用いられているアナログ方式とＣＣＤ等の撮像素子を用いたデジタル方式とがある。
【０００３】
アナログ方式の画像読取装置では、５〜１０ｍｍ幅のスリット露光を行っている。このスリット域では、原稿と感光体が同期して移動されなければ感光体上に潜像が形成されないので、コンタクトガラス上にゴミが付着した場合、原稿固定方式ではゴミの大きさに対応した黒点となり、シートスルータイプではぼけた潜像となるために、現像されてもはっきりとした画像とはならないのでさほど問題にはならない。
【０００４】
ところが、デジタルタイプの画像読取装置では、シートスルータイプにおいてスリット露光領域が狭い。例えば読取密度６００ｄｐｉでは露光幅が２５．４／６００＝０．０４２３ｍｍと非常に狭くなるため、この部分に０．０４２３ｍｍ以上の大きさのゴミが付着すると、原稿上の画像とは無関係に黒データとして連続に読み取られることになる。
【０００５】
つまりゴミが付着した状態で原稿を読み取るとゴミに対応する部分が走査方向に順次読み取ることになるため、黒筋が発生しやすくなる。そこで、原稿をコンタクトガラス上から浮かした状態で搬送し、露光部でのゴミの付着を防止する画像読取装置が開示されている（例えば特許文献１）。
【０００６】
【特許文献１】
特開平８−１２３１５７号公報
【０００７】
【発明が解決しようとする課題】
しかしながら、前記画像読取装置では原稿の中間部分は浮き上がった状態で略ピントが合った状態となるが、先端と後端は浮き上がった状態を維持できないのでピントが合わなくなり、画像品質を低下させる問題がある。
本発明の目的はこのような問題点を改善し、デジタル方式のシートスルータイプで、コンタクトガラス上のゴミに起因する黒筋等の発生を低減し、良好な読取データを得ることが可能な画像読取装置を提供することにある。
【０００８】
【課題を解決するための手段】
このため、請求項１に記載の発明は、シートスルータイプの自動原稿給紙装置（以下、「ＡＤＦ」という。）と、供給された原稿をコンタクトガラスを通して固定して読み取る読取部と、前記ＡＤＦから前記コンタクトガラス上に前記原稿を案内する案内部と、読取った前記原稿を排出するすくい上げ部材とを備えた画像読取装置において、
前記コンタクトガラス上面を開閉自在に被うシャッタ部を設け、
該シャッタ部は、前記コンタクトガラス上面を被うシート状のシャッタ部材と、該シャッタ部材の一端を取り付ける支持部と、該支持部を作動させる駆動部とを備え、
前記原稿の読み取りを行うとき、前記駆動部で前記支持部を作動させて前記シャッタ部材を前記コンタクトガラス上面から退避させて開状態とし、
前記原稿の読み取りを終了したとき、前記駆動部で前記支持部を作動させて前記シャッタ部材で前記コンタクトガラス上面を被って閉状態とするように制御する制御手段を備えることを特徴とする。
【０００９】
請求項１に記載の発明によれば、コンタクトガラス上面をシャッタ部材被うことで画像読取動作時以外にはコンタクトガラスをシャッタ部材により遮蔽し、コンタクトガラス上面にゴミが付着するのを低減させることが可能となる。
【００１０】
請求項２に記載の発明は、請求項１に記載の画像読取装置において、前記シャッタ部材が柔軟性を有し、前記閉状態とするとき、前記シャッタ部材の先端のエッジ部が前記コンタクトガラス上を副走査方向に摺動することを特徴とする。
【００１１】
請求項２に記載の発明によれば、シャッタ部材の開閉動作時にコンタクトガラス上に付着したゴミをシャッタ部材の先端のエッジ部で摺動して除去することが可能となる。
【００１２】
請求項３に記載の発明は、請求項２に記載の画像読取装置において、前記シャッタ部材の先端に拭き取り部を備えることを特徴とする。
【００１３】
請求項３に記載の発明によれば、シャッタの開閉動作時にコンタクトガラス上に付着したゴミを拭き取り部で効率的に排除することが可能となる。
【００１４】
請求項４に記載の発明は、請求項１ないし３のいずれかに記載の画像読取装置において、前記すくい上げ部材に前記コンタクトガラス上のゴミを収容するゴミ収容部を設けることを特徴とする。
【００１５】
請求項４に記載の発明によれば、ゴミ収容部を設けたので回収したゴミがコンタクトガラス上や画像読取装置内に散乱することがない。
【００１６】
請求項５に記載の発明は、請求項１ないし４のいずれかに記載の画像読取装置において、前記シャッタ部は前記案内部内に備えられていることを特徴とする。
【００１７】
請求項５に記載の発明によれば、画像読取装置内のスペースを有効に活用し、画像読取装置をコンパクトにする。
【００１８】
請求項６に記載の発明は、請求項１ないし５のいずれか１に記載の画像読取装置において、前記開状態のとき、前記シャッタ部材が前記案内部内に収容されることを特徴とする。
【００１９】
請求項６に記載の発明によれば、シャッタ部材が案内部内に収容されているので原稿の供給性能を低下させることがない。
【００２０】
請求項７に記載の発明は、請求項１ないし６のいずれかに記載の画像読取装置において、前記制御手段が前記開状態と前記閉状態とを原稿ごとに行うように制御することを特徴とする。
【００２１】
請求項７に記載の発明によれば、画像読取動作時以外はシャッタ部材がコンタクトガラスを被うので、室内に浮遊しているゴミ等がコンタクトガラスに付着することを防止する。また、複数枚連続読取動作時の原稿切り替え時間にシャッタ部材の開閉を行うために、原稿毎にガラス面の清掃が可能となる。
【００２２】
【発明の実施の形態】
本発明の実施の形態を図面を参考にして説明する。
図１は、この発明の画像読取装置の１例としてのデジタル方式のシートスルータイプの自動原稿給紙装置１を装着したスキャナ２を示す斜視図である。図２は図１のスキャナ２の内部構造の一部を拡大して示す断面図である。
【００２３】
この例のスキャナ２は、スキャナ本体Ｂに、本体に対し一端を回動可能に取り付けたＡＤＦ１を備える。スキャナ本体Ｂはケース状になっており、その上面には、コンタクトガラス４ａ，４ｂを備える。このコンタクトガラス４ａ，４ｂは、後述するすくい上げ部材９を挟んで平面状に設けられている。
【００２４】
コンタクトガラス４ａは、原稿固定読取方式で使用するものであり、コンタクトガラス４ｂは、シートスルー読取方式で使用するものである。コンタクトガラス４ｂの端にはＡＤＦ１からコンタクトガラス４ｂ上面に原稿６を案内する案内部１５を備える。また、コンタクトガラス４ａ，４ｂの下、すなわち、スキャナ本体Ｂ内には、複数のミラー８を有する読取部３を備える。
【００２５】
なお、すくい上げ部材９は、コンタクトガラス４ａ，４ｂと接着固定されていてもよいし、コンタクトガラス４ａ，４ｂを支持している不図示のフレームにネジ止めして固定されていてもよい。
【００２６】
一方、ＡＤＦ１には、給紙する原稿６を載置する給紙部５、排出した原稿６を載置する排紙部３１を設ける。そして、ＡＤＦ１の内部には、給紙部５より取り込んだ原稿６をコンタクトガラス４ｂ上に搬送したり、コンタクトガラス４ｂからＡＤＦ１の外部へ排出するための複数対の搬送ローラＴ、ガイド板７などを備える。
【００２７】
なお、案内部１５は、詳しくは、図３、図４に示すように内部に、平行に備えた扇形の板状の２つの回転支持部材１０ａと、この２つの回転支持部材１０ａの弧状部分１０ｃに渡して回転支持板１０ｂを設けて回転支持台１０とする。なお、この回転支持台１０は一体成形で形成してもよい。
【００２８】
そして、扇状の回転支持部材１０ａの孔１３に、モータ２０の軸２０ａを取り付ける。詳しくは、孔１３は、モータ２０の軸の先端にギア２５を嵌合し、そのギアが嵌合する形状に形成され、モータ２０のギア２５を孔１３に嵌合する。この回転支持台１０は、図５に示すように、扇状の回転支持部材１０ａの弧状部分１０ｃがコンタクトガラス４ｂより高くなるように設置する。好適には、回転支持板１０ｂがコンタクトガラス４ｂより３〜４ｍｍ高くなることが望ましい。
【００２９】
さらに、支持部１０の回転支持板１０ｂにはコンタクトガラス４ｂ上面を被うためのシャッタ板（シャッタ部材）１１の一端が両面テープなどの接着剤１２によって取り付けられている。これら支持部１０とシャッタ板１１とを合わせてシャッタ部Ｓという。なおシャッタ板１１は、ＰＥＴなどの柔軟性のある薄型フィルムシートで形成されている。
【００３０】
図６は、図４のＧ矢視図である。回転支持台１０の一端に取り付けられたモータ２０の他方の軸２０ｂには、モータ２０の回転角度を検知するためのフィラー２１が取り付けられている。そして、そのフィラー２１には図７に示すように円盤状の一部を欠いて開口２１ａを形成し、開口２１ａ部分では検知手段としてのフォトセンサ２２を遮らないようになっている。
【００３１】
他方、回転支持台１０の他端にはの回転支持部材１０ａには、支持軸２３が回転自在に取り付けられて、モータ２０の回転に合わせて回転できるようになっており、支持板２４に固定されている。
【００３２】
そして、不図示の制御手段によりモータ（駆動部）２０が図４において支持部１０をａ方向に回動（作動）させると、シャッタ板１１が副走査方向ｄ方向に移動してコンタクトガラス４ｂを被い（閉状態）、モータ２０が支持部１０をｂ方向に回動させると、シャッタ板１１がコンタクトガラス４ｂ上から案内部１５内に退避する（開状態）ようになっている。すなわち、シャッタ部Ｓのシャッタ板１１は、コンタクトガラス４ｂ上面を開閉自在に被う。
【００３３】
また、すくい上げ部材９は、コンタクトガラス４ｂで読み取った原稿６を外部へ排出するためのものであり、図３において、矢印ｃ方向に原稿６が排出されるように、傾斜のついた形状となっている。そのすくい上げ部材９のコンタクトガラス４ｂとの接続部分には、段部を設けてゴミ収容部９ａとする。
【００３４】
次にこの発明のスキャナを使用する動作について説明する。
なお、この例のスキャナ２は、ブック読み取り側のコンタクトガラス４ａ上に原稿を固定して読取部３が移動して原稿を読み取る固定読取モードと、読取部３をＡＤＦ読み取り側のコンタクトガラス４ｂの下に固定し、そのコンタクトガラス４ｂ上をＡＤＦ１の給紙部５に搭載した原稿６を移動（シートスルー）させることによって原稿を読み取るＡＤＦモードの２方式を有する。
【００３５】
固定読取モードの場合の動作は、従来のスキャナと同様であるので説明を省略する。
【００３６】
一方、ＡＤＦモードの場合、図８に示すフローチャートを用いて説明する。シートスルーによる原稿の読取動作の要求（Ｓ１）があると、読取部３がコンタクトガラス４ｂ下方のシートスルー読取位置にあるか判定する（Ｓ２）。読取部３がシートスルー読取位置にあるときは、シャッタ板１１がホームポジション（閉位置）にあるかを判定する（Ｓ３）。
【００３７】
一方、読取部３がシートスルー読取位置にないときは、読取部３をシートスルー読取位置に移動した（Ｓ４）後、シャッタ板１１がホームポジションにあるかを判定する（Ｓ３）。シャッタ板１１がホームポジションにあるときは、図４中、モータ２０をｂ方向に回動させてシャッタ板１１をコンタクトガラス４ｂ上面から退避させて、開状態にして案内部１５内に収納する（Ｓ５）。
【００３８】
このときのモータ２０の駆動のＯＮ、ＯＦＦは、モータ２０の後端にあるフィラー２１の開口２１ａをフォトセンサ２２が検知して別に備える制御手段にフィードバックすることによって行われる。原稿６送りをスタート（Ｓ６）して、給紙部５より原稿６を一枚ずつ給紙し、搬送ローラＴによって搬送され、ガイド板７によって案内部１５に案内する。
【００３９】
シャッタ板１１がホームポジションにないときは、そのまま、原稿６送りをスタートする（Ｓ６）。そして、スキャナを露光して読取部３が固定された状態で原稿６をコンタクトガラス４ｂを通して読み取りを開始（Ｓ７）する。そして、原稿６の読み取りが終了（Ｓ８）したら、スキャナの露光を停止して（Ｓ９）、原稿６を排出した（Ｓ１０）後、モータ２０をａ方向に回動させてシャッタ１１をホームポジションとする。
【００４０】
このとき、回転支持部１０ｂの高さがコンタクトガラス４ｂの高さより高いので、シャッタ板１１が先端１１ｔのエッジ部がコンタクトガラス４ｂの表面に当接し副走査方向ｄに摺動し、コンタクトガラス４ｂの表面にゴミなどが付着しているときは、これが容易に掻き取られて、ゴミ収容部９ａに収容される。
【００４１】
なお、原稿６が複数枚あるときは、原稿６を１枚読み取る毎に、シャッタ板１１を開閉し、コンタクトガラス４ｂの上面は常にゴミがない状態とすることができる。
また、シャッタ板１１の先端１１ｔにフェルトや不織布などの拭き取り部を備えると一層、コンタクトガラス４ｂ上の清掃効果が向上する。
【００４２】
なお、上述の例では、シャッタ板１１として、薄型フィルムシートを用いたが、この発明はこれに限定されるものではなく、ゴムブレードなどを使用しても良い。
【００４３】
さらに、上述の例では、支持部１０を回動してシャッタ板１１を開閉するためにモータ２０を用いているが、この発明はこれに限定されるものではなく、たとえば、ソレノイドを用いてシャッタ板１１を開閉するようにしてもよい。
【００４４】
【発明の効果】
以上詳述したように、請求項１に記載の発明によれば、コンタクトガラスの上面を開閉自在に被うシャッタ部を設けたので、シートスルー読取未使用時のコンタクトガラスへのゴミの付着を防止することができる。したがって、デジタル方式のシートスルータイプで良好な読取データを得ることが可能な画像読取装置を提供することができる。
【００４５】
請求項２に記載の発明によれば、シャッタ部材の先端のエッジ部をコンタクトガラスと当接させ、副走査方向（コンタクトガラス短手方向）に摺動させるのでゴミのかきとり力に優れ、コンタクトガラスを短時間で清掃することができる。
【００４６】
請求項３に記載の発明によれば、シャッタ部の先端に拭き取り部を備えるのでゴミの清掃効果を高めることができる。
【００４７】
請求項４に記載の発明によれば、すくい上げ部材にゴミ収容部を設けたので、シャッタ板で集めたゴミを散乱させることなく蓄積することができる。
【００４８】
請求項５に記載の発明によれば、画像読取装置内のスペースを有効に活用し、画像読取装置をコンパクトにすることができる。
【００４９】
請求項６に記載の発明によれば、シートスルー読取時にシャッタ部材を原稿給紙ガイド部材の内部に収容するため、ゴミ除去装置を備えながらも給紙性能を低下させない画像読取装置が提供できる。
【００５０】
請求項７に記載の発明によれば、シートスルー読取以外にシャッタ板を閉じておくので常にコンタクトガラス面をきれいな状態に保つ事ができる。また、原稿の連続読取動作時には原稿の切り替えタイミングでシャッタの開閉動作を行うことで、コンタクトガラス面をきれいな状態に保つことができる。
【図面の簡単な説明】
【図１】この発明のシートスルー読取装置を備えたスキャナの斜視図である。
【図２】図１の要部拡大断面図である。
【図３】シャッタ板が開状態のときの要部拡大断面図である。
【図４】回転支持部の要部拡大斜視図である。
【図５】回転支持台とコンタクトガラスの位置関係を説明するための図である。
【図６】図４におけるＧ矢視図である。
【図７】図４の回転支持部を駆動するモータと位置検知手段の概略斜視図である。
【図８】この発明のシートスルー読取動作の一例を示すフローチャートである。
【符号の説明】
１    ＡＤＦ（自動原稿給紙装置）
２    スキャナ（画像読取装置）
３    読取部
４ａ，４ｂ    コンタクトガラス
５    給紙部
６    原稿
７    ガイド板
８    ミラー
９    すくい上げ部材
９ａ    ゴミ収容部
１０    支持部
１０ａ    支持部材
１０ｂ    支持板
１０ｃ    弧状部分
１１    シャッタ板（シャッタ部材）
１１ｔ    先端
１２    接着剤
１３    孔
１５    案内部
２０    モータ（駆動部）
２０ａ，２０ｂ    軸
２１    フィラー
２１ａ    開口
２２    フォトセンサ
２３    支持軸
２４    支持板
２５    ギア
Ｂ    スキャナ本体
Ｓ    シャッタ部
Ｔ    搬送ローラ
【図１】
2005005957.tif 000003
【図２】
2005005957.tif 000004
【図３】
2005005957.tif 000005
【図４】
2005005957.tif 000006
【図５】
2005005957.tif 000007
【図６】
2005005957.tif 000008
【図７】
2005005957.tif 000009
【図８】
2005005957.tif 000010